(57)【特許請求の範囲】
【請求項１】
４つの辺を有する布製のシート部材が、前記４つの辺のうち互いに向かい合う第１辺と第３辺が互いに平行になるように折り曲げられ、
前記シート部材が折り曲げられることにより形成される折り目部に、前記折り目部と交差する方向に切り込みが入れられて、前記折り目部に複数の小片部が設けられ、
前記折り曲げられた前記シート部材が、前記４つの辺のうち第２辺が中心側となるように、前記第２辺から第４辺に向けて巻き上げられることにより本体部が形成され、
前記折り目部に設けられた前記小片部が、前記中心側から外側に向けて折り曲げられることにより座面が構成されることを特徴とするスツール。
【請求項２】
前記切り込みは、前記折り目部に対して垂直に入れられている、請求項１に記載のスツール。
【請求項３】
前記切り込みは、前記折り目部に対して斜めに交差するように入れられている、請求項１に記載のスツール。
【請求項４】
前記切り込みの深さは、前記第２辺の側の切り込みよりも前記第４辺の側の切り込みのほうが浅くなるように設定されている、請求項１〜請求項３のいずれか一項に記載のスツール。
【請求項５】
前記切り込みの深さは、前記第２辺の側の切り込みよりも前記第４辺の側の切り込みのほうが深くなるように設定されている、請求項１〜請求項３のいずれか一項に記載のスツール。
【請求項６】
前記切り込みの間隔は、前記第４辺の側の切り込みよりも前記第２辺の側の切り込みのほうが細かくなるように設定されている、請求項１〜請求項５のいずれか一項に記載のスツール。
【請求項７】
前記シート部材には、前記第１辺が前記第３辺に向けて折り曲げられることにより、第１の折り目部が形成されるとともに、前記第３辺が前記第１辺に向けて折り曲げられることにより第２の折り目部が形成され、
前記第１の折り目部に、前記第１の折り目部と交差する方向に第１の切り込みが入れられて、複数の第１の小片部が設けられるとともに、前記第２の折り目部に、前記第２の折り目部と交差する方向に第２の切り込みが入れられて、複数の第２の小片部が設けられ、
前記第１の折り目部に設けられた前記第１の小片部が、前記中心側から外側に向けて折り曲げられることにより座面が構成されるとともに、前記第２の折り目部に設けられた前記第２の小片部が、前記中心側から外側に向けて折り曲げられることにより底面が構成される、請求項１〜請求項６のいずれか一項に記載のスツール。
【請求項８】
異なる色の複数の前記シート部材が重ねられた状態で構成されている、請求項１〜７のいずれか一項に記載のスツール。
【請求項９】
前記折り曲げられた前記シート部材が、前記第２辺が中心側となるように、前記第２辺から前記第４辺に向けて巻き上げられることにより第１の座面が構成されるとともに、前記第４辺が中心側となるように、前記第４辺から前記第２辺に向けて巻き上げられることにより第２の座面が構成される、請求項１〜８のいずれか一項に記載のスツール。
【請求項１０】
前記シート部材には、前記シート部材を巻き上げられた状態で固定するための固定部が設けられている、請求項１〜９のいずれか一項に記載のスツール。
【発明の詳細な説明】
【技術分野】
【０００１】
本発明は、布製のスツールに関する。
【背景技術】
【０００２】
従来から、様々なスツール（背もたれのない椅子）が提案されている。例えば、人間工学に適合し、積み重ねて保管しやすく、加工製造しやすいスツールが提案されている（例えば特許文献１参照）。
【先行技術文献】
【特許文献】
【０００３】
【特許文献１】実用新案登録第３２２１５１７号公報
【発明の概要】
【発明が解決しようとする課題】
【０００４】
しかしながら、従来のスツールは、木製や金属製であり、製造コストが高いという問題があった。また、木製や金属製のスツールは、重量があり省スペース化も困難であるという問題があった。また、木製や金属製のスツールは、汚れた場合に簡単に洗うことができないという問題があった。
【０００５】
本発明は、上記の課題に鑑みてなされたもので、これまでにない布製のスツールを提供することを目的とする。
【課題を解決するための手段】
【０００６】
本発明のスツールは、４つの辺を有する布製のシート部材が、前記４つの辺のうち互いに向かい合う第１辺と第３辺が互いに平行になるように折り曲げられ、前記シート部材が折り曲げられることにより形成される折り目部に、前記折り目部と交差する方向に切り込みが入れられて、前記折り目部に複数の小片部が設けられ、前記折り曲げられた前記シート部材が、前記４つの辺のうち第２辺が中心側となるように、前記第２辺から第４辺に向けて巻き上げられることにより本体部が形成され、前記折り目部に設けられた前記小片部が、前記中心側から外側に向けて折り曲げられることにより座面が構成されている。
【０００７】
この構成によれば、布製のシート部材でスツール（背もたれのない椅子）を作ることができる。この場合、布製のシート部材を材料としているので、木製や金属製のスツールに比べて、低コストでスツールを作ることができる。また、布製のシート部材を材料としているので、木製や金属製のスツールに比べて、軽量かつ省スペース化が可能であり、保管や輸送（持ち運び）に適している。また、布製のシート部材を材料としているので、スツールが汚れた場合に簡単に洗うことができる。また、布製のシート部材を材料としているので、様々なデザインバリエーションを容易に採用することができ、意匠性の高いスツールを提供することができる。
【０００８】
また、本発明のスツールでは、前記切り込みは、前記折り目部に対して垂直に入れられてもよい。
【０００９】
この構成によれば、切り込みの角度を折り目部に対して垂直にすることにより、スツールの座面のクッション性を高くすることができる。
【００１０】
また、本発明のスツールでは、前記切り込みは、前記折り目部に対して斜めに交差するように入れられてもよい。
【００１１】
この構成によれば、切り込みの角度を折り目部に対して斜めにすることにより、スツールの座面の面積を大きくすることができる。
【００１２】
また、本発明のスツールでは、前記切り込みの深さは、前記第２辺の側の切り込みよりも前記第４辺の側の切り込みのほうが浅くなるように設定されてもよい。
【００１３】
この構成によれば、切り込みの深さを変えることにより、スツールの座面を中心側のほうが低くなるように構成でき、スツールに深く座るときの座り心地が良好となる。
【００１４】
また、本発明のスツールでは、前記切り込みの深さは、前記第２辺の側の切り込みよりも前記第４辺の側の切り込みのほうが深くなるように設定されてもよい。
【００１５】
この構成によれば、切り込みの深さを変えることにより、スツールの座面を中心側のほうが高くなるように構成でき、スツールに浅く腰掛けるときの座り心地が良好となる。
【００１６】
また、本発明のスツールでは、前記切り込みの間隔は、前記第４辺の側の切り込みよりも前記第２辺の側の切り込みのほうが細かくなるように設定されてもよい。
【００１７】
この構成によれば、切り込みの間隔を変えることにより、花のようなデザインのスツールを作ることができ、意匠性の高いスツールを提供することができる。
【００１８】
また、本発明のスツールでは、前記シート部材には、前記第１辺が前記第３辺に向けて折り曲げられることにより、第１の折り目部が形成されるとともに、前記第３辺が前記第１辺に向けて折り曲げられることにより第２の折り目部が形成され、前記第１の折り目部に、前記第１の折り目部と交差する方向に第１の切り込みが入れられて、複数の第１の小片部が設けられるとともに、前記第２の折り目部に、前記第２の折り目部と交差する方向に第２の切り込みが入れられて、複数の第２の小片部が設けられ、前記第１の折り目部に設けられた前記第１の小片部が、前記中心側から外側に向けて折り曲げられることにより座面が構成されるとともに、前記第２の折り目部に設けられた前記第２の小片部が、前記中心側から外側に向けて折り曲げられることにより底面が構成されてもよい。
【００１９】
この構成によれば、第１の小片部によりスツールの座面が形成されるとともに、第２の小片部によりスツールの底面が形成されるので、スツールの安定感が向上する。
【００２０】
また、本発明のスツールは、異なる色の複数の前記シート部材が重ねられた状態で構成されてもよい。
【００２１】
この構成によれば、異なる色の複数のシート部材を重ねることにより、スツールのデザインバリエーションを増やすことができ、意匠性の高いスツールを提供することができる。
【００２２】
また、本発明のスツールでは、前記折り曲げられた前記シート部材が、前記第２辺が中心側となるように、前記第２辺から前記第４辺に向けて巻き上げられることにより第１の座面が構成されるともに、前記第４辺が中心側となるように、前記第４辺から前記第２辺に向けて巻き上げられることにより第２の座面が構成されてもよい。
【００２３】
この構成によれば、２つの座面（第１の座面と第２の座面）が形成され、二人掛けのスツールを提供することができる。
【００２４】
また、本発明のスツールでは、前記シート部材には、前記シート部材を巻き上げられた状態で固定するための固定部が設けられてもよい。
【００２５】
この構成によれば、シート部材を巻き上げられた状態で固定することができ、スツールを安定した状態で使用することができる。
【発明の効果】
【００２６】
本発明によれば、これまでにない布製のスツールを提供することができる。
【図面の簡単な説明】
【００２７】
【図１】本発明の実施の形態におけるスツールの説明図である。
【図２】切り込みの深さと本体部の高さ（座高）と座面の面積（座面積）の説明図である。
【図３】切り込みの角度を変えたスツールの説明図である。
【図４】切り込みの深さを変えたスツールの説明図である。
【図５】上下に切り込みを入れたスツールの説明図である。
【図６】異なる色の２枚のシート部材で構成したスツールの説明図である。
【図７】二人掛けのスツールの説明図である。
【図８】切り込みの間隔を変えたスツールの説明図である。
【図９】スツールの固定部の説明図である。
【図１０】固定部の他の例の説明図である。
【図１１】固定部の他の例の説明図である。
【発明を実施するための形態】
【００２８】
以下、本発明の実施の形態の布製のスツールについて、図面を用いて説明する。
【００２９】
本発明の実施の形態のスツールの構成を、図面を参照して説明する。図１は、本実施の形態のスツールの説明図である。図１（ａ）に示すように、本実施の形態のスツール１０は、４つの辺を有する四角形状の布製のシート部材１から構成されている。図１（ｂ）に示すように、まず、４辺のうち互いに向かい合う第１辺（図１（ａ）における上辺Ａ）と第３辺（図１（ａ）における下辺Ｃ）が互いに平行になるように、シート部材１が半分に折り曲げられる。
【００３０】
シート部材１が折り曲げられると、シート部材１の中央（図１（ａ）における中央）に折り目部２が形成される。そして、この折り目部２に、折り目部２と交差する方向に切り込み３が入れられると、図１（ｂ）に示すように、折り目部２に複数の小片部４が設けられる。
【００３１】
つぎに、図１（ｃ）に示すように、折り曲げられたシート部材１が、４辺のうち第２辺（図１における左辺Ｂ）が中心側となるように、第２辺（図１（ａ）における左辺Ｂ）から第４辺（図１（ａ）における右辺Ｄ）に向けて巻き上げられる。これにより、スツール１０の本体部５が形成される。
【００３２】
そして、図１（ｄ）に示すように、折り目部２に設けられた小片部４が、中心側から外側に向けて折り曲げられる。これにより、スツール１０の座面６が形成される。
【００３３】
本実施の形態では、布製のシート部材１でスツール１０（背もたれのない椅子）を作ることができる。この場合、布製のシート部材１を材料としているので、木製や金属製のスツールに比べて、低コストでスツール１０を作ることができる。また、布製のシート部材１を材料としているので、木製や金属製のスツールに比べて、軽量かつ省スペース化が可能であり、保管や輸送（持ち運び）に適している。また、布製のシート部材１を材料としているので、スツール１０が汚れた場合に簡単に洗うことができる。また、布製のシート部材１を材料としているので、様々なデザインバリエーションを容易に採用することができ、意匠性の高いスツール１０を提供することができる。
【００３４】
この場合、図２に示すように、切り込み３の深さを変えることにより、本体部５の高さ（座高）と座面６の面積（座面積）を変えることができる。例えば、切り込み３を深くすることにより、本体部５の高さ（座高）を低く、座面６の面積（座面積）を大きくすることができる。逆に、切り込み３を浅くすることにより、本体部５の高さ（座高）を高く、座面６の面積（座面積）を小さくすることができる。
【００３５】
図３は、切り込み３の角度を変えた場合のスツール１０の説明図である。図３（ａ）の例では、切り込み３が、折り目部２に対して垂直に入れられている。このように、切り込み３の角度を折り目部２に対して垂直にすることにより、スツール１０の座面６のクッション性を高くすることができる。
【００３６】
一方、図３（ｂ）の例では、切り込み３が、折り目部２に対して斜めに交差するように入れられている。このように、切り込み３の角度を折り目部２に対して斜めにすることにより、スツール１０の座面６の面積を大きくすることができる。
【００３７】
図４は、切り込み３の深さを変えた場合のスツール１０の説明図である。図４（ａ）の例では、切り込み３の深さが、第２辺（左辺Ｂ）の側の切り込み３よりも第４辺（右辺Ｄ）の側の切り込み３のほうが浅くなるように設定されている。このように切り込み３の深さを変えることにより、スツール１０の座面６を中心側のほうが低くなるように構成でき、スツール１０に深く座るときの座り心地が良好となる。
【００３８】
一方、図４（ｂ）の例では、切り込み３の深さが、第２辺（左辺Ｂ）の側の切り込み３よりも第４辺（右辺Ｄ）の側の切り込み３のほうが深くなるように設定されている。このように切り込み３の深さを変えることにより、スツール１０の座面６を中心側のほうが高くなるように構成でき、スツール１０に浅く腰掛けるときの座り心地が良好となる。
【００３９】
図５は、上下に切り込み３を入れた場合のスツール１０の説明図である。図５（ａ）に示すように、この場合、シート部材１の第１辺（上辺Ａ）が第３辺（下辺Ｃ）に向けて折り曲げられることにより、第１の折り目部２（図５（ａ）における上側の折り目部２）が形成されている。また、シート部材１の第３辺（下辺Ｃ）が第１辺（上辺Ａ）に向けて折り曲げられることにより第２の折り目部２（図５（ａ）における下側の折り目部２）が形成されている。
【００４０】
つぎに、図５（ｂ）に示すように、第１の折り目部２に、第１の折り目部２と交差する方向に第１の切り込み３が入れられることにより、複数の第１の小片部４（図５（ａ）における上側の小片部４）が設けられている。また、第２の折り目部２に、第２の折り目部２と交差する方向に第２の切り込み３が入れられることにより、複数の第２の小片部４（図５（ａ）における下側の小片部４）が設けられている。
【００４１】
そして、図５（ｃ）に示すように、第１の折り目部２に設けられた第１の小片部４が、中心側から外側に向けて折り曲げられることにより、スツール１０の座面６が形成されている。また、第２の折り目部２に設けられた第２の小片部４が、中心側から外側に向けて折り曲げられることにより、スツール１０の底面７が形成されている。
【００４２】
このようにして、第１の小片部４によりスツール１０の座面６が形成されるとともに、第２の小片部４によりスツール１０の底面７が形成されるので、スツール１０の安定感が向上する。
【００４３】
図６は、異なる色の複数のシート部材１で構成した場合のスツール１０の説明図である。なお、図６では、２枚のシート部材１でスツール１０を構成する場合について説明するが、シート部材１の枚数は３枚以上であってもよい。
【００４４】
図６（ａ）の例では、異なる色の２枚のシート部材１が折り曲げられた状態で重ねられている。また、図６（ｂ）の例では、異なる色の２枚のシート部材１が重ねられた状態で折り曲げられている。このように、異なる色の複数のシート部材１を重ねることにより、スツール１０のデザインバリエーションを増やすことができ、意匠性の高いスツール１０を提供することができる。
【００４５】
図７は、二人掛けのスツール１０の説明図である。この場合、図７（ａ）に示すように折り曲げられたシート部材１を、図７（ｂ）に示すように、第２辺（左辺Ｂ）が中心側となるように、第２辺（左辺Ｂ）から第４辺（右辺Ｄ）に向けて巻き上げるとともに、第４辺（右辺Ｄ）が中心側となるように、第４辺（右辺Ｄ）から第２辺（左辺Ｂ）に向けて巻き上げる。そうすると、図７（ｃ）に示すように、２つの座面６（第１の座面６と第２の座面６）が形成される。このようにして、二人掛けのスツール１０を提供することができる。
【００４６】
図８は、切り込み３の間隔を変えた場合のスツール１０の説明図である。図８（ａ）の例では、切り込み３の間隔が、第４辺（右辺Ｄ）の側の切り込み３よりも第２辺（左辺Ｂ）の側の切り込み３のほうが細かくなるように設定されている。このように切り込み３の間隔を変えることにより、図８（ｂ）に示すように、花のようなデザインのスツール１０を作ることができ、意匠性の高いスツール１０を提供することができる。
【００４７】
図９〜図１１は、スツール１０の固定部８の説明図である。図９〜図１１に示すように、シート部材１には、シート部材１を巻き上げられた状態で固定するための固定部８が設けられている。固定部８を設けることにより、シート部材１を巻き上げられた状態で固定することができ、スツール１０を安定して状態で使用することができる。
【００４８】
図９の例では、固定部８が、シート部材１の一部を利用して形成された紐として構成されている。この場合、図９（ａ）に示すように、固定部８の紐は、シート部材１の第２辺（左辺Ｂ）の側に設けられている。図９（ｂ）に示すように、シート部材１が巻き上げられた状態で、固定部８の紐は伸ばされた状態とされる。そして、図９（ｃ）に示すように、本体部５に巻き付けて結ぶことにより、シート部材１を巻き上げられた状態で固定することができる。
【００４９】
図１０の例でも、固定部８が、シート部材１の一部を利用して形成された紐として構成されている。この場合、図１０（ａ）に示すように、固定部８の紐は、シート部材１の第４辺（右辺Ｄ）の側に設けられている。図１０（ｂ）に示すように、シート部材１が巻き上げる前に、固定部８の紐は、シート部材１の内側を通して、伸ばされた状態とされ、図１０（ｃ）に示すように、シート部材１が巻き上げられる。そして、図１０（ｄ）に示すように、本体部５に巻き付けて結ぶことにより、シート部材１を巻き上げられた状態で固定することができる。
【００５０】
図１１の例では、固定部８が、シート部材１の一部に取り付けられた接着材（または、面ファスナー、ボタンなど）として構成されている。この場合、図１１（ａ）に示すように、固定部８の接着材（または、面ファスナー、ボタンなど）は、シート部材１の第２辺（左辺Ｂ）の側に設けられている。そして、図９（ｂ）に示すように、固定部８の接着材（または、面ファスナー、ボタンなど）によって、シート部材１を巻き上げられた状態で固定することができる。
【００５１】
以上、本発明の実施の形態を例示により説明したが、本発明の範囲はこれらに限定されるものではなく、請求項に記載された範囲内において目的に応じて変更・変形することが可能である。
【産業上の利用可能性】
【００５２】
以上のように、本発明にかかるスツールは、布製のシート部材でスツール（背もたれのない椅子）を作ることができ、持ち運びできるスツールや洗濯できるスツール等として有用である。
【符号の説明】
【００５３】
１  シート部材
２  折り目部
３  切り込み
４  小片部
５  本体部
６  座面
７  底面
８  固定部
１０  スツール
【要約】
【課題】  これまでにない布製のスツールを提供する。
【解決手段】  ４つの辺を有する布製のシート部材１が、４つの辺のうち互いに向かい合う第１辺と第３辺が互いに平行になるように折り曲げられる。シート部材１が折り曲げられることにより形成される折り目部２に、折り目部２と交差する方向に切り込み３が入れられて、折り目部２に複数の小片部４が設けられる。折り曲げられたシート部材１が、４つの辺のうち第２辺が中心側となるように、第２辺から第４辺に向けて巻き上げられることによりスツール１０の本体部５が形成される。折り目部２に設けられた小片部４が、中心側から外側に向けて折り曲げられることによりスツール１０の座面６が構成される。
【選択図】  図１【図１】
0006682713.tif 000002
【図２】
0006682713.tif 000003
【図３】
0006682713.tif 000004
【図４】
0006682713.tif 000005
【図５】
0006682713.tif 000006
【図６】
0006682713.tif 000007
【図７】
0006682713.tif 000008
【図８】
0006682713.tif 000009
【図９】
0006682713.tif 000010
【図１０】
0006682713.tif 000011
【図１１】
0006682713.tif 000012